(57)【要約】【課題】既存の塗布具に対して取り付けることによって、回転駆動機能を簡単に付加することができる塗布具の把持具を提供する。【解決手段】把持具１が、使用者が把持するための把持部１０と回転カム部材１１とを具備し、回転カム部材１１が、塗布具と共に、軸線回りに回転可能且つ軸線に沿って前後動可能となるように把持部１０内に配置され、塗布具による塗布時の塗布圧による回転カム部材１１の後退動作に伴い、回転カム部材１１を回転駆動させる。【選択図】図３
2019123151.tif 000002
【特許請求の範囲】
【請求項１】
使用者が把持するための把持部と回転カム部材とを具備し、
前記回転カム部材が、塗布具と共に、軸線回りに回転可能且つ軸線に沿って前後動可能となるように前記把持部内に配置され、
塗布具による塗布時の塗布圧による前記回転カム部材の後退動作に伴い、前記回転カム部材を回転駆動させることを特徴とする塗布具の把持具。
【請求項２】
前記回転カム部材が円筒状に形成され、前記回転カム部材の前端面と後端面とに前カム面と後カム面とがそれぞれ形成されると共に、前記前カム面と前記後カム面とにそれぞれ対峙するように前記把持部側に配置された前固定カム面と後固定カム面とが形成され、
前記塗布圧による前記回転カム部材の後退動作によって、前記回転カム部材の前記後カム面が、前記後固定カム面に当接して噛み合わされ、前記塗布圧の解除による前記回転カム部材の前進動作によって、前記回転カム部材の前記前カム面が、前記前固定カム面に当接して噛み合わされるように構成され、
前記回転カム部材の前記前カム面が、前記前固定カム面に噛み合わされた状態において、前記回転カム部材の前記後カム面と前記後固定カム面とが、カムの位相がずれた関係に設定され、前記回転カム部材の前記後カム面が、前記後固定カム面に噛み合わされた状態において、前記回転カム部材の前記前カム面と前記前固定カム面とが、カムの位相がずれた関係に設定されていることを特徴とする請求項１に記載の塗布具の把持具。
【請求項３】
前記塗布圧が解除された状態において、前記回転カム部材の前記前カム面を、前記前固定カム面に当接させて噛み合わせ状態に付勢する弾性部材を具備することを特徴とする請求項２に記載された塗布具の把持具。
【請求項４】
前記塗布圧が解除された状態において、前記回転カム部材及び前記回転カム部材によって保持された塗布具の自重により前記回転カム部材の前記前カム面を、前記前固定カム面に当接させて噛み合わせ状態にすることを特徴とする請求項２に記載された塗布具の把持具。
【請求項５】
前記回転カム部材に対する塗布具の後方への移動を係止する係止機構をさらに具備することを特徴とする請求項１乃至４のいずれか一項に記載の塗布具の把持具。
【請求項６】
前記係止機構が、片持ち梁状の係止部であることを特徴とする請求項５に記載の塗布具の把持具。
【発明の詳細な説明】
【技術分野】
【０００１】
本発明は、塗布具の把持具に関する。
【背景技術】
【０００２】
書き進むにしたがって筆記芯が偏って摩耗してしまうことを防止するため、筆記圧を利用して筆記芯を回転させる回転駆動機構を備えたシャープペンシルが公知である（特許文献１）。
【先行技術文献】
【特許文献】
【０００３】
【特許文献１】国際公開第２００７／１４２１３５号パンフレット
【発明の概要】
【発明が解決しようとする課題】
【０００４】
特許文献１に記載の回転駆動機構は、シャープペンシルの筆記芯を回転させることしか想定していない。特許文献１には、シャープペンシル以外の筆記具、ましてや筆記具以外も含む塗布具全般に回転駆動機構を適用することについて開示されていない。また、従来、シャープペンシルの筆記芯以外に回転駆動機構を適用しようとする試みは一切されておらず、そのような発想も存在しなかった。すなわち、シャープペンシルでは、ノック操作によって、軸筒内において筆記芯の解除と把持を伴うチャックユニットの前後動が行われ、その結果、筆記芯が繰り出されるように構成されている。したがって、軸筒内の部材間に前後方向のクリアランスを設ける余地があり、そのため、特許文献１に記載のシャープペンシルのように、筆記芯の筆記圧によるチャックユニット等の部材の後退動作を利用して筆記芯を回転させるように構成する余地があった。
【０００５】
しかしながら、シャープペンシル以外の塗布具、例えば鉛筆は、それ自体は相対的に前後動する部材は存在せず、またこうした部材を内部に付加する構造上の余地もない。したがって、シャープペンシル以外の塗布具に対して、特許文献１に記載のような回転駆動機構を適用することについて阻害要因が存在し、また、そのようにすることについて動機付けが存在しなかった。
【０００６】
本発明は、既存の塗布具に対して取り付けることによって、回転駆動機能を簡単に付加することができる塗布具の把持具を提供することを目的とする。
【０００７】
なお、本発明において「塗布具」とは、修正液、接着剤及び薬品等の塗布具、並びに、マスカラ、アイライナー、口紅及びマニキュア等の化粧料の塗布具のみならず、ボールペン、サインペン、マーカーペン、シャープペンシル、万年筆、熱変色性筆記具等の筆記具も広く含むものである。塗布具を用いて塗布する場合、塗布面からの反力として塗布具に対して加わる圧力を、塗布圧という。塗布具が筆記具の場合には、塗布圧は、筆記圧と同義である。
【課題を解決するための手段】
【０００８】
本発明の一態様によれば、使用者が把持するための把持部と回転カム部材とを具備し、前記回転カム部材が、塗布具と共に、軸線回りに回転可能且つ軸線に沿って前後動可能となるように前記把持部内に配置され、塗布具による塗布時の塗布圧による前記回転カム部材の後退動作に伴い、前記回転カム部材を回転駆動させることを特徴とする塗布具の把持具が提供される。
【０００９】
前記回転カム部材が円筒状に形成され、前記回転カム部材の前端面と後端面とに前カム面と後カム面とがそれぞれ形成されると共に、前記前カム面と前記後カム面とにそれぞれ対峙するように前記把持部側に配置された前固定カム面と後固定カム面とが形成され、前記塗布圧による前記回転カム部材の後退動作によって、前記回転カム部材の前記後カム面が、前記後固定カム面に当接して噛み合わされ、前記塗布圧の解除による前記回転カム部材の前進動作によって、前記回転カム部材の前記前カム面が、前記前固定カム面に当接して噛み合わされるように構成され、前記回転カム部材の前記前カム面が、前記前固定カム面に噛み合わされた状態において、前記回転カム部材の前記後カム面と前記後固定カム面とが、カムの位相がずれた関係に設定され、前記回転カム部材の前記後カム面が、前記後固定カム面に噛み合わされた状態において、前記回転カム部材の前記前カム面と前記前固定カム面とが、カムの位相がずれた関係に設定されていてもよい。
【００１０】
前記塗布圧が解除された状態において、前記回転カム部材の前記前カム面を、前記前固定カム面に当接させて噛み合わせ状態に付勢する弾性部材を具備するようにしてもよい。前記塗布圧が解除された状態において、前記回転カム部材及び前記回転カム部材によって保持された塗布具の自重により前記回転カム部材の前記前カム面を、前記前固定カム面に当接させて噛み合わせ状態にするようにしてもよい。前記回転カム部材に対する塗布具の後方への移動を係止する係止機構をさらに具備するようにしてもよい。前記係止機構が、片持ち梁状の係止部であってもよい。
【発明の効果】
【００１１】
本発明の態様によれば、既存の塗布具に対して取り付けることによって、回転駆動機能を簡単に付加することができる塗布具の把持具を提供するという共通の効果を奏する。
【図面の簡単な説明】
【００１２】
【図１】本発明の実施形態による把持具を鉛筆に取り付けた状態の図である。
【図２】図１の把持具の分解組立図である。
【図３】図１の把持具の縦断面図である。
【図４】図１の把持具の回転カム部材の回転駆動機能を、順を追って説明する模式図である。
【図５】図４に続く回転カム部材の回転駆動機能を説明する模式図である。
【図６】回転カム部材に対して鉛筆を係止する別の係止機構を説明する横断面図である。
【図７】本発明の別の実施形態による把持具の回転カム部材の縦断面図である。
【図８】図７の把持具の回転カム部材の縦断面図である。
【図９】本発明のさらに別の実施形態による把持具の縦断面図である。
【図１０】図９の把持具の分解組立図である。
【図１１】把持具を取り付け可能な塗布具の例を示す縦断面図である。
【発明を実施するための形態】
【００１３】
以下、図面を参照しながら本発明の実施の形態を詳細に説明する。全図面に亘り、対応する構成要素には共通の参照符号を付す。
【００１４】
以下では、本発明の実施形態を、塗布具の一例として鉛筆を用いて詳細に説明しているが、以下の説明は、上述したようなその他の塗布具においても適用可能である。
【００１５】
図１は、本発明の実施形態による把持具１を、塗布具の一例として鉛筆１００に取り付けた状態の図である。図２は、図１の把持具１の分解組立図であり、図３は、図１の把持具１の縦断面図である。本明細書中では、把持具１を鉛筆１００に対して取り付けた場合の把持具１の軸線方向において、鉛筆芯１０２の突出する側を「前」側と規定し、これと反対側を「後」側と規定する。
【００１６】
把持具１は、鉛筆１００に対して着脱可能に構成されている。把持具１は、使用者が把持するための筒状の把持部１０と、鉛筆１００の軸部材１０１を保持可能な筒状の回転カム部材１１と、回転カム部材１１の前方に配置される円環状の前カム部材１２と、回転カム部材１１の後方に配置される円環状の後カム部材１３と、コイルスプリング１４とを有している。特に断りのない限り、「軸線」又は「中心軸線」とは、塗布具が取り付けられた場合の軸部材の中心軸線を意味し、把持具１又は回転カム部材１１の軸線又は中心軸線と基本的には一致する。
【００１７】
把持部１０内には、回転カム部材１１が移動可能に配置されている。把持部１０内の前端には、前カム部材１２が把持部１０に対して固定され、把持部１０内の後端には、後カム部材１３が把持部１０に対して固定されている。コイルスプリング１４は、回転カム部材１１と後カム部材１３との間に配置されている。コイルスプリング１４には、回転カム部材１１の後部及び後カム部材１３の前部が挿入されている。コイルスプリング１４に代えて、任意の弾性部材を用いてもよい。
【００１８】
回転カム部材１１の前端面には、周方向に沿って連続的に鋸歯状になされた前カム面１１ａが円環状に形成され、回転カム部材１１の後端面には、周方向に沿って連続的に鋸歯状になされた後カム面１１ｂが円環状に形成されている。回転カム部材１１の軸線方向における中央部分の外周面には、環状のフランジ部１１ｃが形成されている。回転カム部材１１の外周面には、Ｕ字型の貫通溝が形成され、それによって後部が支持された片持ち梁状の係止部１１ｄを画成している。係止部１１ｄは、回転カム部材１１の内側に僅かばかり突出している。係止部１１ｄは、後述する係止機構を構成する。回転カム部材１１の軸線方向における中央部分の内面には、一般的な鉛筆の六角形よりも僅かばかり大きい六角形の横断面形状である保持面１１ｅ（図３）が形成されている。
【００１９】
前カム部材１２の後端面には、周方向に沿って連続的に鋸歯状になされた前固定カム面１２ａが円環状に形成されている。前カム部材１２の前固定カム面１２ａは、後述するように、回転カム部材１１の前カム面１１ａと協働する。前カム部材１２の前端面は、把持部１０内に固定された状態で、把持部１０の前端面と整列している。
【００２０】
後カム部材１３の前端面には、周方向に沿って連続的に鋸歯状になされた後固定カム面１３ａが円環状に形成されている。後カム部材１３の後固定カム面１３ａは、後述するように、回転カム部材１１の後カム面１１ｂと協働する。後カム部材１３の後部は僅かばかり大径に形成され、それによって前方に面した段部１３ｂが形成されている。後カム部材１３の後端面は、把持部１０内に固定された状態で、把持部１０の後端面と整列している。
【００２１】
コイルスプリング１４の前端部は、回転カム部材１１のフランジ部１１ｃの後端面に当接し、コイルスプリング１４の後端部は、後カム部材１３の段部１３ｂに当接している。後カム部材１３は把持部１０に対して固定されていることから、回転カム部材１１は、コイルスプリング１４の付勢力によって前方へ付勢されている。
【００２２】
コイルスプリング１４の前端部及び後端部のうちの一方又は両方は、固定されていない。コイルスプリング１４の前端部及び後端部の両方が固定されてしまうと、後述する回転カム部材１１の回転運動によって、コイルスプリング１４が捻れてしまい、その捻れによる復元力によって回転カム部材１１の回転運動が阻害されてしまう。コイルスプリング１４の前端部及び後端部のうちの一方又は両方を固定しないことによって、固定のされていないコイルスプリング１４の端部において滑りを生じさせ、回転カム部材１１の回転運動がコイルスプリング１４に伝達されるのを防止している。
【００２３】
鉛筆１００に対して把持具１を取り付ける場合には、把持具１の後部から鉛筆１００を挿入する。把持具１に挿入された鉛筆１００は、六角形の横断面形状である保持面１１ｅによって、回転カム部材１１に対する回転が阻止される。また、鉛筆１００は、回転カム部材１１の係止部１１ｄによって保持される。
【００２４】
ところで、鉛筆１００は、シャープペンシルとは異なり、常に同じ位置を把持するものではない。鉛筆１００は、削ることによって短くなることから、それに合わせて把持する位置、すなわち把持具１の取り付け位置をより後方へ移動させる必要がある。そのため、把持具１の回転カム部材１１は、鉛筆１００の後方への移動を、係止することによって阻止し、鉛筆１００の前方への移動を、係止解除することによって可能にする係止機構を有している。
【００２５】
具体的には、鉛筆１００による筆記時には、筆記圧によって鉛筆１００が把持具１に対して後方へ移動しようとする。鉛筆１００の後方への移動は、回転カム部材１１の係止部１１ｄの先端が鉛筆１００の軸部材１０１に食い込むことによって、すなわち係止部１１ｄが径方向内方へより撓むことによって阻止され、把持具１は係止の状態となる。他方、係止部１１ｄは、把持具１に対する鉛筆１００の前方への移動時には径方向外方へ撓み、鉛筆１００の移動を阻止することはなく、把持具１は係止解除の状態となる。
【００２６】
回転カム部材１１は、鉛筆１００と共に、軸線回りに回転可能且つ軸線に沿って前後動可能となるように把持部１０内に配置されている。ここで、回転カム部材１１の前カム面１１ａ及び後カム面１１ｂと、前カム部材１２の前固定カム面１２ａと、後カム部材１３の後固定カム面１３ａとは、鉛筆１００を軸線回りに回転させる回転駆動機構を構成する。回転駆動機構による回転駆動機能について、図４及び図５を参照しながら説明する。
【００２７】
図４は、図１の把持具１の回転カム部材１１の回転駆動機能を、順を追って説明する模式図であり、図５は、図４に続く回転カム部材１１の回転駆動機能を説明する模式図である。図４及び図５において、下方が前側であり、上方が後側である。また、図４及び図５において、回転カム部材１１の後端部の○印は、回転カム部材１１の回転移動量を理解しやすいように便宜上描かれた目印である。
【００２８】
把持部１０内において、回転カム部材１１の前カム面１１ａは、前カム部材１２の前固定カム面１２ａと対峙し、回転カム部材１１の後カム面１１ｂは、後カム部材１３後固定カム面１３ａと対峙している。回転カム部材１１に形成された前カム面１１ａ及び後カム面１１ｂの各カム面と、前カム部材１２に形成された前固定カム面１２ａ及び後カム部材１３に形成された後固定カム面１３ａの各カム面とは、ピッチが互いに略同一となるように形成されている。
【００２９】
鉛筆１００を用いて筆記しているとき以外、すなわち、鉛筆１００を保持する回転カム部材１１に対して筆記圧が加わっていないとき、回転カム部材１１は、コイルスプリング１４の付勢力によって前方に付勢されている。したがって、回転カム部材１１の前カム面１１ａは、前カム部材１２の前固定カム面１２ａに当接して噛み合い状態になされる。鉛筆１００を用いて筆記しているとき、すなわち、鉛筆１００を保持する回転カム部材１１に対して筆記圧が加わっているとき、回転カム部材１１は、コイルスプリング１４の付勢力に抗して後退する。したがって、回転カム部材１１の後カム面１１ｂは、後カム部材１３の後固定カム面１３ａに当接して噛み合い状態になされる。
【００３０】
図４（Ａ）は、回転カム部材１１に対して筆記圧が加わっていないときの状態における回転カム部材１１、前カム部材１２及び後カム部材１３の関係を示している。この状態においては、回転カム部材１１に形成された前カム面１１ａは、コイルスプリング１４の付勢力によって、前カム部材１２の前固定カム面１２ａに対して当接している。このとき、回転カム部材１１の後カム面１１ｂと後カム部材１３の後固定カム面１３ａとは、軸線方向において対応するカムの位相がずれた関係、例えば一歯の半位相（半ピッチ）ずれた関係となるように設定されている。
【００３１】
図４（Ｂ）は、鉛筆１００による筆記のために、回転カム部材１１に対して筆記圧が加わった初期の状態を示している。この状態においては、回転カム部材１１は、コイルスプリング１４を収縮させながら後退する。それによって、回転カム部材１１は、把持部１０に対して取り付けられた後カム部材１３に当接する。
【００３２】
次いで、図４（Ｃ）は、回転カム部材１１に対してさらに筆記圧が加わり、回転カム部材１１が、後カム部材１３の後固定カム面１３ａに対して当接しながら後退し、回転した状態を示している。この状態においては、回転カム部材１１の後カム面１１ｂは、後カム部材１３の後固定カム面１３ａに噛み合っている。すなわち、回転カム部材１１は、後カム部材１３の後固定カム面１３ａから回転駆動を受け、後カム面１１ｂ、すなわち後固定カム面１３ａのずれた位相の分だけ、例えば一歯の半位相（半ピッチ）だけ回転する。このとき、図４（Ｃ）に示す状態においては、回転カム部材１１の前カム面１１ａと前カム部材１２の前固定カム面１２ａとは、軸線方向において対応するカムの位相がずれた関係、例えば一歯の半位相（半ピッチ）ずれた関係となるように設定されている。
【００３３】
次いで、図５（Ｄ）は、鉛筆１００による筆記が終わり、回転カム部材１１に対する筆記圧が解除された初期の状態を示している。この状態においては、回転カム部材１１は、コイルスプリング１４の付勢力によって前進する。それによって、回転カム部材１１は、把持部１０に対して取り付けられた前カム部材１２に当接する。
【００３４】
次いで、図５（Ｅ）は、回転カム部材１１がコイルスプリング１４の付勢力によって、回転カム部材１１が、前カム部材１２の前固定カム面１２ａに当接しながら前進し、回転した状態を示している。この状態においては、回転カム部材１１の前カム面１１ａは、前カム部材１２の前固定カム面１２ａに噛み合っている。すなわち、回転カム部材１１は、前カム部材１２の前固定カム面１２ａから回転駆動を受け、前カム面１１ａ、すなわち前固定カム面１２ａのずれた位相の分だけ、例えば一歯の半位相（半ピッチ）だけ再び回転する。その結果、回転カム部材１１は、図４（Ａ）と同様の状態に復帰する。
【００３５】
回転カム部材１１に描いた○印で示すように、筆記圧を受けた回転カム部材１１は、軸線方向における１回の往復運動、すなわち１回の前後動に伴って回転駆動を受け、前カム面１１ａ及び後カム面１１ｂのずれた位相の分だけ、例えば一歯（１ピッチ）だけ回転する。これを繰り返すことによって、鉛筆１００を保持する回転カム部材１１は把持部１０に対して順次回転する。そのため、把持具１を用いれば、書き進むにしたがって鉛筆１００の鉛筆芯１０２が偏って摩耗するのを防止することができ、描線の太さや描線の濃さが大きく変化することを防止することができる。
【００３６】
さらに、把持具１を用いれば筆記芯の偏った摩耗を防止することから、偏って摩耗した鉛筆で筆記する場合に比べて、鉛筆芯の全体の摩耗量を低減させることができ、また、鉛筆を削る頻度及び割合を低減させることができ、鉛筆をより長持ちさせることが可能となる。鉛筆はシャープペンシルに比べて芯径が太いことから、特にその傾向が顕著である。また、芯径が太い鉛筆が摩耗すると、それだけ筆記面における筆記圧の応力が分散してしまい、特に、大人と比べて筆記圧が弱い子供は、しっかりとした描線を描くことができない。把持具１を用いれば、子供でもしっかりとした描線を描くことができ、特に色鉛筆を用いた塗り絵も綺麗に行うことができる。
【００３７】
なお、上述した実施形態では、鉛筆１００の係止機構として、係止部１１ｄを用いたが、その他の構成によって、鉛筆１００の係止及び係止解除を行うようにしてもよい。図６乃至図８を参照しながら、別の係止機構について説明する。
【００３８】
図６は、回転カム部材１１に対して鉛筆１００を係止する別の係止機構を説明する横断面図である。図６（Ａ）は、係止解除した状態の鉛筆１００及び把持具である。六角形の保持面１１ｅと鉛筆１００の外面とは、僅かばかりのクリアランスを有している。図６（Ｂ）は、係止した状態の鉛筆１００及び把持具である。鉛筆１００の軸部材１０１は、通常、木製であることから比較的弾性がある。そのため、鉛筆１００の軸線方向における把持具の位置を決定した後、鉛筆１００又は把持具を相対的に軸線回りに回転させることによって、軸部材１０１の六角形の角が回転カム部材１１の保持面１１ｅの平坦部に配置されるように弾性変形させる。このとき、弾性変形した軸部材１０１の角と、回転カム部材１１の保持面１１ｅの平坦部との間に作用する摩擦力及び押圧力によって、鉛筆１００を回転カム部材１１に対して係止させることが可能となる。また、この状態から、鉛筆１００又は把持具を相対的に軸線回りにさらに回転させることによって、再び係止を解除することができる（図６（Ａ））。
【００３９】
鉛筆１００を弾性変形させることによって、鉛筆１００を回転カム部材１１に対して係止させることができることから、上述した係止部１１ｄを省略することができ、より簡便な係止機構を実現することができる。
【００４０】
図７は、本発明の別の実施形態による把持具の回転カム部材２１の縦断面図であり、図８は、図７の把持具の回転カム部材２１の縦断面図である。また、図８（Ａ）は、把持具の係止状態を示し、図８（Ｂ）は、把持具の係止解除状態を示している。本実施形態による把持具は、シャープペンシルにおいて筆記芯を把持する、いわゆるボールチャックと類似した機構の係止機構を有し、鉛筆１００に対する係止及び係止解除を行っている。
【００４１】
回転カム部材２１の保持面２１ｅの一部には、軸線方向に亘って細長い矩形状で且つ軸線回りに対称的に配置された一対の保持プレート２６が、それぞれ一体的に取り付けられている。保持プレート２６の軸線方向の中央部分には、略矩形の貫通孔２６ａが形成されている。保持プレート２６の両端には、径方向外方に折り曲げられた嵌合部２６ｂが形成され、保持面２１ｅの端部の段差に嵌合している。
【００４２】
図８に示されるように、保持プレート２６の貫通孔２６ａに相当する回転カム部材２１の保持面２１ｅには、窪んだ係止穴２１ｆが形成されている。係止穴２１ｆの底面は、前側が深く、後方に向かって浅くなる斜面上に形成されている。ボール２５は、係止穴２１ｆ及び貫通孔２６ａの中に配置される。ボール２５は、保持プレート２６の貫通孔２６ａによって、外れないように保持されている。すなわち、貫通孔２６ａは、ボール２５の径よりも小さく形成されている。ボール２５の一部は、貫通孔２６ａを介して径方向内方へ突出可能である。回転カム部材２１に対して鉛筆１００が移動すると、ボール２５は、摩擦力によって鉛筆１００の外周面に沿って転がりながら、鉛筆１００と共に前後に移動する。なお、回転カム部材２１のその他の構成は、上述した実施形態の回転カム部材１１の構成と同一であるため、説明は省略する。
【００４３】
図８（Ａ）を参照すると、鉛筆１００に対して筆記圧が加わったことによって、回転カム部材２１に対して鉛筆１００が後方へ移動している。鉛筆１００が後方へ移動すると、ボール２５は、係止穴２１ｆの斜面に沿ってより浅い方へ移動し、貫通孔２６ａを介して径方向内方へ突出する。その結果、ボール２５は、鉛筆１００の軸部材１０１に食い込んで回転カム部材２１によって保持されて、鉛筆１００に対して把持具が係止する。
【００４４】
他方、図８（Ａ）の状態から、例えば鉛筆１００を引っ張ることによって把持具、ひいては回転カム部材２１に対して鉛筆１００を前方へ移動させると、ボール２５は、係止穴２１ｆの斜面に沿ってより深い部分へ移動する。その結果、ボール２５は、径方向外方へ移動し、鉛筆１００に対する把持具の係止が解除される（図８（Ｂ））。
【００４５】
ところで、鉛筆は、削ることによって全長が短くなり、それによって把持し難くなる。短くなった全長を補完して把持し易くするため、鉛筆の後端部に取り付ける補助軸が公知である。本発明の実施形態による把持具を補助軸に適用した場合について、図９及び図１０を参照しながら、以下説明する。
【００４６】
図９は、本発明のさらに別の実施形態による把持具２の縦断面図であり、図１０は、図９の把持具２の分解組立図である。図１０において、後述する把持部３０と尾栓３８とは省略されている。本実施形態の把持具２は、シャープペンシルにおいて筆記芯を把持するチャックと類似した機構の係止機構を有し、鉛筆１００に対する係止及び係止解除を行っている。
【００４７】
把持具２は、使用者が把持するための筒状の把持部３０と、回転カム部材３１と、回転カム部材３１の前方に配置される円環状の前カム部材１２と、回転カム部材３１の後方に配置される円環状の後カム部材１３と、コイルスプリング１４とを有している。前カム部材１２、後カム部材１３及びコイルスプリング１４は、上述した実施形態による把持具１と略同一のため、説明は省略する。把持具２は、さらに、全長が短くなった鉛筆１００の軸部材１０１を保持可能な筒状のチャック部材３５と、筒状の継手部材３６と、回転カム部材３１の中に収容されるサブコイルスプリング３７と、把持部３０の後端部に嵌合する筒状の尾栓３８とを有している。
【００４８】
回転カム部材３１は、上述した回転カム部材３１と同様に、前カム面１１ａと、後カム面１１ｂと、フランジ部１１ｃとを有している。また、回転カム部材３１の前端から所定距離だけ離間した内周面には、前方に向かって傾斜した斜面３１ｆが形成されている。斜面３１ｆの後方は僅かばかり大径に形成され、それによって後方に面した段部３１ｇが形成されている。
【００４９】
チャック部材３５は、均等に分割された５つのチャック片３５ａを有している。５つのチャック片３５ａの各々は、前端に向かって径方向外方に僅かばかり広がるように形成されている。チャック部材３５の前端部は、全体として大径に形成され、それによって後方に向かって傾斜した斜面３５ｂが形成されている。チャック部材３５の後端部の外周面には、環状の係合フランジ部３５ｃが形成されている。
【００５０】
継手部材３６は、略均一の肉厚を有する筒状の部材であり、前端部がより大径に形成されている。継手部材３６の前端部に対してチャック部材３５の後端部を挿入することによって、チャック部材３５の係合フランジ部３５ｃが継手部材３６の内周面と係合し、チャック部材３５と継手部材３６とが一体的に連結する。連結されたチャック部材３５及び継手部材３６の内部には、鉛筆１００を挿入可能である。
【００５１】
把持具２が組み立てられた状態では、サブコイルスプリング３７には、チャック部材３５の後部が挿入されている。サブコイルスプリング３７の前端部は、回転カム部材３１の段部３１ｇに当接し、サブコイルスプリング３７の後端部は、継手部材３６の前端面に当接している。したがって、継手部材３６及び継手部材３６に連結されたチャック部材３５は、サブコイルスプリング３７の付勢力によって後方へ付勢されている。
【００５２】
把持具２は、尾栓３８の貫通孔を介して鉛筆１００を把持具２の後部から挿入されることによって、鉛筆１００に対して取り付けられる。すなわち、鉛筆１００の軸部材１０１は、チャック部材３５を介して回転カム部材３１によって保持される。
【００５３】
鉛筆１００を保持する回転カム部材３１に対して筆記圧が加わったことによって、把持部３０に対して回転カム部材３１が後方へ移動すると、チャック部材３５の斜面３５ｂが、把持部３０の斜面３１ｆと当接する。その結果、チャック片３５ａの各々が、把持部３０の斜面３１ｆから径方向内方の力を受け、チャック部材３５は鉛筆１００を強く保持する。それによって、鉛筆１００の後方への移動は阻止され、把持具２は係止の状態となる。
【００５４】
他方、把持具２に対する鉛筆１００の前方への移動時には、チャック部材３５のチャック片３５ａの各々は、把持部３０の斜面３１ｆとの当接から解放されて径方向外方へ復元する。その結果、チャック部材３５は鉛筆１００の移動を阻止することはなく、把持具２は係止解除の状態となる。
【００５５】
以下、本発明に係る把持具を他の塗布具に取り付けた例について説明する。図１１は、把持具１を取り付け可能な塗布具の例を示す縦断面図である。
【００５６】
図１１（Ａ）は、把持具３をシャープペンシル１１０に取り付けた状態の縦断面図である。シャープペンシル１１０に把持具３を取り付けることによって、鉛筆の場合と同様に、筆記芯の偏った摩耗を防止することができる。
【００５７】
図１１（Ｂ）は、把持具４をボールペン１１１に取り付けた状態の縦断面図である。ボールペンは、一般に、先端の筆記部においてボールが受け座によって保持されている。受け座は、ボールペンを使用し続けることによって摩耗する。受け座が偏って摩耗してしまうと、その摩耗部からボールが脱落してしまい、そうなると筆記が不可能になる。したがって、受け座は、全周に亘り均等に摩耗することが望ましい。特に、細い描線を筆記するための小さい径のボールを使用する場合は、ボールがより脱落し易くなる。そこで、把持具４を用いることによって、受け座の摩耗を均等することが可能となり、ボールペンをより長持ちさせることが可能となる。
【００５８】
図１１（Ｃ）は、把持具５をサインペン１１２に取り付けた状態の縦断面図である。サインペン１１２は、筆記部として繊維束芯を有している。繊維束芯は、繊維の束からなることから、一部に偏った使用をすることによって、束がより崩れ易く、またダメージを受け易くなる。そこで、把持具５を用いることによって、繊維束芯を均等に使用することが可能となり、サインペン１１２をより長持ちさせることが可能となる。
【００５９】
図１１（Ｄ）は、把持具６を化粧品であるアイライナー１１３に取り付けた状態の縦断面図である。回転操出式のアイライナー１１３の塗布芯は、鉛筆芯よりも柔らかく、より偏った摩耗が生じやすい。そこで、把持具６を用いることによって、塗布芯の偏った摩耗を防止することが可能となり、アイライナー１１３をより長持ちさせることが可能となる。
【００６０】
なお、鉛筆のように、削ることによって全長が短くなる塗布具以外の塗布具については、上述した係止機構は不要である。
【００６１】
以上より、本発明によれば、別体の把持具を既存の塗布具に対して取り付けることによって、回転駆動機能を簡単に付加することができる。したがって、使用者の好みに応じた塗布具について、半永久的に使用可能な回転駆動機能を付加することができる。なお、把持具を塗布具の先端に着脱可能にすることによって、塗布部を保護するキャップとして機能させてもよい。
【００６２】
塗布具の軸部材の外径は、その製品に応じて様々である。そこで、把持具において、塗布具を保持する部材のみを変更可能とすることによって、把持部、前カム部材及び後カム部材等の部材を共通化し、把持具をより汎用的に使用できるようにすることができる。例えば、図１に示された実施形態による把持具１の場合は、前カム部材１２及び後カム部材１３のカムと協働するように、外径が同一で且つ異なる内径を有する複数の回転カム部材を用意する。より細い軸部材を有する塗布具やより太い軸部材を有する塗布具において、その軸部材の外径に応じて回転カム部材１１を交換することによって、いずれの塗布具も把持具１に対して取り付けることが可能となる。
【００６３】
把持部は、使用者が把持可能である限りにおいて任意に構成することができる。例えば、使用者が筆記具を理想的な指の配置で把持することができるような立体形状が施された持ち方矯正具として塗布具の把持部を構成してもよい。持ち方矯正具を使用する場合、通常、その立体形状のため、持ち直すことによって塗布具を回転させることができない。そこで、把持具１を使用することによって、塗布具を持ち直すことなく、塗布芯を回転させ、塗布芯の偏った摩耗を防止することができる。また、塗布具を把持する手指に対する負荷を軽減するよう、把持部の表面に軟質部材を施してもよい。また、把持部の表面には絵、図柄及び文字等を付与することができることから、使用者が、好みに応じて絵等が付与された把持部又は別途設けられた把持部を覆う部材を交換可能に構成してもよい。
【００６４】
本発明は上述した実施形態に限定されず、把持具が、使用者が把持するための把持部と回転カム部材とを具備し、回転カム部材が、塗布具と共に、軸線回りに回転可能且つ軸線に沿って前後動可能となるように把持部内に配置され、塗布具による塗布時の塗布圧による回転カム部材の後退動作に伴い、回転カム部材を回転駆動させる限りにおいて、任意の把持具の構造を採用し得る。
【００６５】
したがって、回転駆動機構における前カム面１１ａ等のカム面は、上述した実施形態のような周方向に連続した鋭角の鋸歯状のカム面に限られず、鈍角のカム面等であってもよい。また、上述した実施形態において、コイルスプリング１４を省略し、回転カム部材１１及び回転カム部材１１によって保持された鉛筆１００の自重によって、回転カム部材１１が前方へ付勢されるようにしてもよい。それによって部品点数を削減することができ、コストも削減することができる。また、前カム部材１２及び後カム部材１３の一方は、把持部１０と一体的に形成してもよい。
【符号の説明】
【００６６】
１    把持具
１０  把持部
１１  回転カム部材
１２  前カム部材
１３  後カム部材
１４  コイルスプリング
【図１】
2019123151.tif 000003
【図２】
2019123151.tif 000004
【図３】
2019123151.tif 000005
【図４】
2019123151.tif 000006
【図５】
2019123151.tif 000007
【図６】
2019123151.tif 000008
【図７】
2019123151.tif 000009
【図８】
2019123151.tif 000010
【図９】
2019123151.tif 000011
【図１０】
2019123151.tif 000012
【図１１】
2019123151.tif 000013